(57)【特許請求の範囲】
【請求項１】
サッシ枠と障子を備えた窓部において、前記障子より屋内側に設けられる防犯スクリーン装置であって、
複数の孔が形成され、前記サッシ枠の開口を覆う防犯パネルと、
前記防犯パネルの周縁部から、前記サッシ枠の内周面に形成された凹状の溝部内にまで延びる枠状部材と、を有する、防犯スクリーン装置。
【請求項２】
前記防犯パネルの周縁部を保持する保持部材をさらに有し、
前記防犯パネルは、前記保持部材を介して屋内内装壁に固定されている、請求項１に記載の防犯スクリーン装置。
【請求項３】
前記保持部材は、前記防犯パネルの周縁部に存在する締結部材を介して前記防犯パネルを保持しており、
前記枠状部材には、前記締結部材の屋外側の露出部分を覆い、前記枠状部材に沿って連続的に形成された遮蔽部が設けられている、請求項２に記載の防犯スクリーン装置。
【請求項４】
前記保持部材は、同一の前記締結部材によって、前記防犯パネルと共に前記枠状部材を保持する、請求項２又は請求項３に記載の防犯スクリーン装置。
【請求項５】
前記防犯パネルは、外縁に折り曲げ部を有している、請求項１〜４のいずれかに記載の防犯スクリーン装置。
【発明の詳細な説明】
【技術分野】
【０００１】
本発明は、防犯スクリーン装置に関する。
【背景技術】
【０００２】
障子を開放した状態の窓から人（泥棒など）に侵入されてしまうこと等を防止するために、窓に対して防犯スクリーン装置を取り付けることが行われている。このような防犯スクリーン装置は、サッシ枠の開口を例えば面格子で覆ったり、パンチングメタルで覆ったりすることにより、窓の通気性や透光性等を確保しつつ防犯性を高めるものである。すなわち、このような防犯スクリーン装置を窓に取り付けると、障子を開放して屋外からの通風を十分に確保した状態であっても、防犯性が損なわれることがない。
【０００３】
下記特許文献１には、建物の開口の内側にパンチングメタルを嵌め込み、ビスで固定した構成の防犯スクリーン装置が記載されている。
【先行技術文献】
【特許文献】
【０００４】
【特許文献１】特開２００３−１４８０６０号公報
【発明の概要】
【発明が解決しようとする課題】
【０００５】
防犯性の観点から当然に、防犯スクリーン装置には、屋外側から容易には取り外されたり破壊されたりしないことが求められる。しかしながら、上記特許文献１に記載された防犯スクリーン装置は、パンチングプレートの周縁部と採光窓の外枠との間にドライバーなどの工具が挿入されてパンチングプレートが取り外される恐れがあった。
【０００６】
本出願はかかる点に鑑みてなされたものであり、パンチングメタルなどの防犯パネルの周縁部とサッシ枠との間に工具が挿入されて防犯パネルが取り外されることを防止することのできる防犯スクリーン装置を提供することをその目的とする。
【課題を解決するための手段】
【０００７】
上記目的を達成するための本発明は、サッシ枠と障子を備えた窓部において、前記障子より屋内側に設けられる防犯スクリーン装置であって、複数の孔が形成され、前記サッシ枠の開口を覆う防犯パネルと、前記防犯パネルの周縁部から前記サッシ枠の内周面に形成された凹状の溝部内にまで延びる枠状部材と、を有する、防犯スクリーン装置を含む。
【０００８】
上記防犯スクリーン装置は、前記防犯パネルの周縁部を保持する保持部材をさらに有し、前記防犯パネルは、前記保持部材を介して屋内内装壁に固定されていてもよい。
【０００９】
前記締結部材は、前記防犯パネルの周縁部に存在する締結部材を介して前記防犯パネルを保持しており、前記枠状部材には、前記締結部材の屋外側の露出部分を覆い、前記枠状部材に沿って連続的に形成された遮蔽部が設けられていてもよい。
【００１０】
前記保持部材は、同一の前記締結部材によって、前記防犯パネルと共に前記枠状部材を保持していてもよい。
【００１１】
前記防犯パネルは、外縁に折り曲げ部を有していてもよい。
【発明の効果】
【００１２】
本発明によれば、防犯パネルの周縁部とサッシ枠との間に工具が挿入されて防犯パネルが取り外されることを防止でき、防犯性を向上できる。
【図面の簡単な説明】
【００１３】
【図１】窓部の横断面の説明図である。
【図２】窓部の縦断面の説明図である。
【図３】防犯パネルの平面図である。
【図４】防犯パネルが折り曲げ部を有する場合の窓部の一部を拡大した横断面の説明図である。
【発明を実施するための形態】
【００１４】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１５】
図１は、本実施の形態における防犯スクリーン装置１が取り付けられる建物の窓部Ａの構成を示す横断面の説明図であり、図２は、建物の窓部Ａの縦断面の説明図である。
【００１６】
窓部Ａは、窓部Ａの開口に縁に沿って設けられたサッシ枠１０と、サッシ枠１０に対し開閉自在に取り付けられた障子１１と、障子１１より屋内側（図１の下側、図２の右側）に設けられた防犯スクリーン装置１を備えている。
【００１７】
障子１１は、例えば窓部Ａの開口を覆う方形板状に形成され、左右いずれかの端部に設けられた鉛直方向の軸周りに回動して、窓部Ａの開口を開閉できる。例えば障子１１の開閉は、防犯スクリーン装置１より屋内側に設けられたハンドル１５を回転することにより行うことができる。
【００１８】
サッシ枠１０は、例えば方形の枠状に形成されている。サッシ枠１０には、障子１１が取り付けられている、サッシ枠１０の内周面には、当該内周面に沿った凹状の溝部２０が形成されている。この溝部２０のある部分に後述の防犯スクリーン装置１が設置される。なお、溝部２０は、例えば元々は網戸を嵌め込むためにサッシ枠１０に形成された凹部である。
【００１９】
防犯スクリーン装置１は、複数の孔が形成され、サッシ枠１０の開口を覆う防犯パネル３０と、締結部材６０を介して防犯パネル３０の周縁部を保持する保持部材３１と、防犯パネル３０の周縁部からサッシ枠１０の内周面に形成された凹状の溝部２０内にまで延びる枠状部材３２を備えている。
【００２０】
防犯パネル３０は、図３に示すように方形状を有し、多数の丸孔４０ａが均等なピッチで形成された孔板部４０と、孔板部４０の外周を囲む周縁部４１を備えている。孔板部４０は、例えば鋼製のパンチングメタルである。
【００２１】
保持部材３１は、図１及び図２に示すように防犯パネル３０より屋内側に設けられている。保持部材３１は、例えばＬ字アングル状に形成され、例えば防犯パネル３０の周縁部４１に当接する第１の平板部３１ａと、第１の平板部３１ａに直角に接続され、防犯パネル３０の周縁部４１から屋内側に延びる第２の平板部３１ｂを備えている。保持部材３１は、例えば防犯パネル３０の左右の周縁部４１の複数個所、例えば左右それぞれに３か所ずつ設けられている。保持部材３１は、例えばサッシ枠に設けられた障子１１の開閉をロック及びロック解除するためのロック部材５０を避ける位置に設けられている。
【００２２】
第１の平板部３１ａは、防犯パネル３０に対し屋内側から貫通するねじなどの締結部材６０を介して防犯パネルを保持している。なお、図３に示すように防犯パネル３０の左右の周縁部４１には、締結部材６０が差し込まれる複数の孔６１が点在するように形成されている。
【００２３】
図１及び図２に示すように第２の平板部３１ｂは、窓部Ａの内装壁Ｂ（屋内内装壁）まで延びており、締結部材６２によって内装壁Ｂに固定されている。これにより、防犯パネル３０は、保持部材３１を介して内装壁Ｂに固定されている。なお、内装壁Ｂの下地材としては、集成材、合板等が使用されている。
【００２４】
枠状部材３２は、方形の枠板状に形成されている。枠状部材３２は、防犯パネル３０の周縁部４１の屋外側の面に取り付けられている。枠状部材３２は、防犯パネル３０の周縁部４１上から周縁部４１の外側に突出し、サッシ枠１０の溝部２０内まで延びている。
【００２５】
保持部材３１は、同一の締結部材６０によって、防犯パネル３０と共に枠状部材３２の左右の辺部分を保持している。
【００２６】
枠状部材３２には、さらに、締結部材６０の屋外側の露出部分を覆い、枠状部材３２に沿って連続的に形成された遮蔽部７０が設けられている。遮蔽部７０は、例えば枠状部材３２の屋内側の端部から屋外側に折れ曲がり、締結部材６０が側方から視認されるのを防止する立ち上がり部８０と、立り上がり部８０から外側に向かって防犯パネル３０と平行に延び、締結部材６０が屋外正面から視認されるのを防止する平行部８１を備えている。
【００２７】
枠状部材３２の上下の辺部分は、例えばねじなどの締結部材９０によって防犯パネル３０の周縁部４１に締結されている。なお、図３に示すように防犯パネル３０の周縁部４１の上下の辺部分には、締結部材９０が差し込まれる複数の孔９１が形成されている。
【００２８】
本実施の形態によれば、枠状部材３２が、防犯パネル３０の周縁部４１から、サッシ枠１０の凹状の溝部２０内まで延びているので、防犯パネル３０の周縁部４１とサッシ枠１０との間に工具が挿入されて防犯パネルが取り外されることを防止できる。この結果、防犯スクリーン装置１の防犯性を向上できる。
【００２９】
防犯パネル３０は、サッシ枠１０に対して固定されておらず、保持部材３１を介して内装壁Ｂに対して固定されているので、仮に防犯パネル３０を無理やりはずされるようなことがあっても、取り換えが大変なサッシ枠１０が損傷することを抑制できる。この結果、修復作業が簡単になる。
【００３０】
また、本実施の形態では、枠状部材３２は、締結部材６０、９０によって防犯パネル３０に締結され、枠状部材３２には、締結部材６０、９０の屋外側の露出部分を覆い、枠状部材３２に沿って連続的に形成された遮蔽部７０が設けられている。これによって、屋外側から何処に締結部材６０、９０があるのか視認できないので、人が締結部材６０、９０を狙って壊し防犯パネル３０をはずすことが難しくなる。よって、防犯スクリーン装置１の防犯性を向上できる。
【００３１】
保持部材３１は、同一の前記締結部材６０によって、防犯パネル３０と共に枠状部材３２を保持しているので、締結部材６０をさらに外しにくくなり、防犯スクリーン装置１の防犯性を向上できる。
【００３２】
保持部材３１は、例えばロック部材５０やハンドル１５などと干渉しない位置に設置されているので、ロック部材５０やハンドル１５を操作する際に支障がない。
【００３３】
保持部材３１は、防犯パネル３０からサッシ枠１０上に沿って内装壁Ｂに至る細板形状を有するので、あまり目立たず、外観もよくすることができる。
【００３４】
上記実施の形態において、防犯パネル３０は、図４に示すように外縁に折り曲げ部１００を有していてもよい。かかる場合、折り曲げ部１００は、例えば防犯パネル３０の周縁部４１において屋内側に９０度に折り曲げられている。保持部材３１は、折り曲げ部１００上を通って内装壁Ｂまで延びて固定されている。かかる場合、防犯パネル３０の強度が向上するので、破壊行為を受けても簡単に破損せず、防犯スクリーン装置１の防犯性を向上できる。また、防犯パネル３０が締結部材６０、９０の締め付け力等により変形して締結部材６０、９０の位置が特定しやすくなることを防止できる。これによっても防犯スクリーン装置１の防犯性を向上できる。
【００３５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３６】
例えば以上の実施の形態では、防犯スクリーン装置１が保持部材３１を備えていたが、防犯パネル３０が窓部Ａに固定されていれば、保持部材３１を備えていなくてもよい。また、保持部材３１は、内壁装Ｂに固定されていたが、窓枠部材や他の場所に固定されていてもよい。さらに保持部材３１は、他の形状であってもよい。枠状部材３２は、遮蔽部７０を備えていたが、遮蔽部７０がなくてもよい。また遮蔽部７０は他の形状を有していてもよい。枠状部材３２は、保持部材３１と共に防犯パネル３０に固定されていたが、単独で防犯パネル３０に固定されていてもよい。また、枠状部材３２は、左右の辺及び上下の辺の四方に設けられているものとしたが、破壊部位として狙われにくい上の辺を除き、下の辺及び左右の辺の三方にのみ設けられていてもよい。防犯パネル３０は、パンチングメタル状のもののみならず網目状のものであってもよい。窓部Ａのサッシ枠１０、障子１１等の構成もこれに限られない。
【産業上の利用可能性】
【００３７】
本発明は、防犯パネルの周縁部とサッシ枠との間に工具が挿入されて防犯パネルが取り外されることを防止する際に有用である。
【符号の説明】
【００３８】
１  防犯スクリーン装置
１０  サッシ枠
１１  障子
３０  防犯パネル
３１  保持部材
３２  枠状部材
６０  締結部材
７０  遮蔽部
９０  締結部材
Ａ  窓部
Ｂ  内装壁
【図１】
0006324821.tif 000002
【図２】
0006324821.tif 000003
【図３】
0006324821.tif 000004
【図４】
0006324821.tif 000005